(57)【要約】【課題】放送信号に含まれる暗号化情報を復号できない状況でも、その放送信号に含まれる放送サービスをユーザが視聴することができるデジタル放送受信機、放送サービス提示方法、および、プログラムを提供する。【解決手段】デジタル放送受信機（１）は、１セグメント部分受信サービスおよびそれ以外の放送サービスの放送情報と、１セグメント部分受信サービス以外の放送サービスの暗号化情報とを含む放送信号を受信する受信部（３１）と、放送信号に含まれる放送情報に基づいて放送サービスを提示する放送サービス提示部（３３）と、放送信号に含まれる暗号化情報の復号を行なう復号部（３２）と、ユーザにより選択された放送サービスが１セグメント部分受信サービス以外の放送サービスであり、かつ暗号化情報を復号できない場合、１セグメント部分受信サービスを提示するように放送サービス提示部（３３）を制御する視聴制御部（１０）と、を具備する。【選択図】図４
2014045422.tif 000002
【特許請求の範囲】
【請求項１】
１セグメント部分受信サービスの放送情報と、１セグメント部分受信サービス以外の放送サービスの放送情報と、前記１セグメント部分受信サービス以外の放送サービスの暗号化情報とを含む放送信号を受信する受信部と、
前記放送信号に含まれる放送情報に基づいて放送サービスを提示する放送サービス提示部と、
前記放送信号に含まれる前記１セグメント部分受信サービス以外の放送サービスの暗号化情報の復号を行なう復号部と、
ユーザにより選択された放送サービスが前記１セグメント部分受信サービス以外の放送サービスであり、前記復号部により前記１セグメント部分受信サービス以外の放送サービスの暗号化情報を復号できない場合、前記１セグメント部分受信サービスを提示するように前記放送サービス提示部を制御する視聴制御部と、
を具備することを特徴とするデジタル放送受信機。
【請求項２】
前記復号部は、前記ユーザにより選択された放送サービスが前記１セグメント部分受信サービス以外の放送サービスであり、かつ前記１セグメント部分受信サービスが提示されているときに、前記放送信号に含まれる前記１セグメント部分受信サービス以外の放送サービスの暗号化情報の復号を行ない、
前記視聴制御部は、前記復号部により前記１セグメント部分受信サービス以外の放送サービスの暗号化情報を復号できた場合、前記ユーザにより選択された放送サービスを提示するように前記放送サービス提示部を制御する、
ことを特徴とする請求項１に記載のデジタル放送受信機。
【請求項３】
前記視聴制御部は、前記ユーザにより選択された放送サービスが前記１セグメント部分受信サービス以外の放送サービスである場合、所定の時間間隔で、所定の時間、前記ユーザにより選択された放送サービスの暗号化情報を受信するように前記受信部を制御する、
ことを特徴とする請求項２に記載のデジタル放送受信機。
【請求項４】
前記視聴制御部は、
チャンネルスキャンを行なって、放送サービスが送出されるチャネルが前記デジタル放送受信機のアクセス制御方式に対応しているか否かを表すアクセス制御方式対応チャネルリストを生成し、
前記ユーザにより放送サービスが選択されたときに前記アクセス制御方式対応チャネルリストを参照し、
前記ユーザにより選択された放送サービスが送出されるチャネルが前記デジタル放送受信機のアクセス制御方式に対応していて、かつ前記ユーザにより選択された放送サービスが前記１セグメント部分受信サービス以外の放送サービスである場合、前記復号部による復号の結果に基づいて前記ユーザにより選択された放送サービスまたは前記１セグメント部分受信サービスを提示するように前記放送サービス提示部を制御し、
前記ユーザにより選択された放送サービスが前記デジタル放送受信機のアクセス制御方式に対応していない場合、前記１セグメント部分受信サービスを提示するように前記放送サービス提示部を制御する、
ことを特徴とする請求項１から３のいずれか一項に記載のデジタル放送受信機。
【請求項５】
１セグメント部分受信サービスの放送情報と、１セグメント部分受信サービス以外の放送サービスの放送情報と、前記１セグメント部分受信サービス以外の放送サービスの暗号化情報とを含む放送信号を受信するステップと、
前記放送信号に含まれる前記１セグメント部分受信サービス以外の放送サービスの暗号化情報の復号を行なうステップと、
ユーザにより選択された放送サービスが前記１セグメント部分受信サービス以外の放送サービスであり、その放送サービスの暗号化情報を復号できない場合、前記放送信号に含まれる放送情報に基づいて前記１セグメント部分受信サービスを提示するステップと、
を具備することを特徴とするデジタル放送受信機を用いた放送サービス提示方法。
【請求項６】
請求項５に記載の放送サービス提示方法の各ステップをデジタル放送受信機に実行させるためのプログラム。
【発明の詳細な説明】
【技術分野】
【０００１】
本発明は、送信局から送信され、番組とその番組の暗号化情報を含む放送信号を受信するデジタル放送受信機、放送サービス提示方法、および、プログラムに関する。
【背景技術】
【０００２】
地上デジタル放送向け著作権保護（ＲＭＰ：Ｒｉｇｈｔｓ  Ｍａｎａｇｅｍｅｎｔ  ＆  Ｐｒｏｔｅｃｔｉｏｎ）方式の運用では、送信局から暗号化情報｛ＥＭＭ（Ｅｎｔｉｔｌｅｍｅｎｔ  Ｍａｎａｇｅｍｅｎｔ  Ｍｅｓｓａｇｅ）｝を含む放送信号を送信して受信機側のワーク鍵を更新することとなっている。ＲＭＰ方式とは有料放送のような課金を伴わず、放送される番組の著作権保護に特化した方式である。
【０００３】
しかし、受信機の使用頻度が低い場合、その受信機はワーク鍵の更新に追従できない。その結果、受信機が暗号化情報を含む放送信号を受信するまでの間、ユーザが番組を視聴できない。そこで、特許文献１に記載された技術では、所定の観測期間毎にＥＭＭを受信したか否かをチャンネル毎に記憶し、ＥＭＭを受信できなかったチャンネルに関して所定の動作を行う。所定の動作とは、ユーザが視聴や留守録などをしていないときに当該チャンネルをスキャンする、または、ワーク鍵の更新があった当該チャンネルをユーザに通知することである。
【０００４】
ＲＭＰ方式を含む放送システムにおいて、送信局では、番組のＴＳ（ＭＰＥＧ２  Ｔｒａｎｓｐｏｒｔ  Ｓｔｒｅａｍ）をスクランブル鍵によりスクランブルして放送信号を生成する。送信局では、このスクランブル鍵を含むＥＣＭ（Ｅｎｔｉｔｌｅｍｅｎｔ  Ｃｏｎｔｒｏｌ  Ｍｅｓｓａｇｅ）をワーク鍵により暗号化し、放送信号に多重化する。ワーク鍵はワーク鍵識別情報により一意に識別できるよう管理される。送信局では、受信機に対してＥＣＭを復号するために使用するワーク鍵とワーク鍵識別情報とを含むＥＭＭをデバイス鍵により暗号化し、放送信号に多重化する。ＥＭＭはデバイスＩＤ毎に送出され、デバイスＩＤを含む。
【０００５】
受信機では、放送信号に含まれる暗号化情報（ＥＣＭ、ＥＭＭ）の復号を行なう。まず、ＥＭＭのデバイスＩＤと自受信機のデバイスＩＤとが一致する場合、自受信機のデバイス鍵によりＥＭＭを復号して、ＥＭＭからワーク鍵とワーク鍵識別情報とを抽出する。次に、ＥＣＭのワーク鍵識別情報を抽出し、これと一致するワーク鍵識別情報を持つワーク鍵がある場合、ワーク鍵によりＥＣＭを復号して、ＥＣＭからスクランブル鍵を抽出する。受信機がスクランブル鍵を抽出した場合、暗号化情報の復号は成功であり、それ以外の場合、暗号化情報の復号は失敗である。受信機は、暗号化情報を復号できた場合、抽出したスクランブル鍵によりＴＳに対するデスクランブルを行なう。
【先行技術文献】
【特許文献】
【０００６】
【特許文献１】特開２００８−１４１３５０号公報
【発明の概要】
【発明が解決しようとする課題】
【０００７】
特許文献１に記載された技術では、ユーザが番組を視聴していないときにその番組（チャンネル）をスキャンしたり、ワーク鍵の更新があったチャンネルをユーザに通知したりするものであるが、ユーザが番組を視聴しようとするときに、暗号化情報を復号できない場合、ユーザはその番組を視聴することができない。このように、特許文献１に記載された技術では、ユーザが番組を視聴できないという状況を改善するものではない。
【０００８】
本発明は、上記の点に鑑みてなされたものであり、放送信号に含まれる暗号化情報を復号できない状況でも、その放送信号に含まれる放送サービスをユーザが視聴することができるデジタル放送受信機、放送サービス提示方法、および、プログラムを提供することを目的とする。
【課題を解決するための手段】
【０００９】
本発明のデジタル放送受信機は、１セグメント部分受信サービスの放送情報と、１セグメント部分受信サービス以外の放送サービスの放送情報と、前記１セグメント部分受信サービス以外の放送サービスの暗号化情報とを含む放送信号を受信する受信部と、前記放送信号に含まれる放送情報に基づいて放送サービスを提示する放送サービス提示部と、前記放送信号に含まれる前記１セグメント部分受信サービス以外の放送サービスの暗号化情報の復号を行なう復号部と、ユーザにより選択された放送サービスが前記１セグメント部分受信サービス以外の放送サービスであり、前記復号部により１セグメント部分受信サービス以外の放送サービスの暗号化情報を復号できない場合、前記１セグメント部分受信サービスを提示するように前記放送サービス提示部を制御する視聴制御部と、を具備することを特徴とする。
【００１０】
本発明のデジタル放送受信機を用いた放送サービス提示方法は、１セグメント部分受信サービスの放送情報と、１セグメント部分受信サービス以外の放送サービスの放送情報と、前記１セグメント部分受信サービス以外の放送サービスの暗号化情報とを含む放送信号を受信するステップと、前記放送信号に含まれる前記１セグメント部分受信サービス以外の放送サービスの暗号化情報の復号を行なうステップと、ユーザにより選択された放送サービスが前記１セグメント部分受信サービス以外の放送サービスであり、その放送サービスの暗号化情報を復号できない場合、前記放送信号に含まれる放送情報に基づいて前記１セグメント部分受信サービスを提示するステップと、を具備することを特徴とする。
【００１１】
本発明のプログラムは、上記放送サービス提示方法の各ステップをデジタル放送受信機に実行させる。
【発明の効果】
【００１２】
本発明によれば、放送信号に含まれる暗号化情報を復号できない状況でも、その放送信号に含まれる放送サービスをユーザが視聴することができる。
【図面の簡単な説明】
【００１３】
【図１】本発明の第１実施形態に係るデジタル放送受信機が適用される放送システムの構成を示す概略ブロック図である。
【図２】ＥＣＭの構成例を示す図である。
【図３】ＥＭＭの構成例を示す図である。
【図４】本発明の第１実施形態に係るデジタル放送受信機の構成を示す概略ブロック図である。
【図５】本発明の第１実施形態に係るデジタル放送受信機の動作（放送サービス提示方法）を示すフローチャートである。
【図６】本発明の第１実施形態に係るデジタル放送受信機の視聴制御部の動作として、図５の視聴制御処理を示すフローチャートである。
【図７】本発明の第２実施形態に係るデジタル放送受信機の構成を示す概略ブロック図である。
【図８】図７のアクセス制御方式対応チャネルリストに記録される情報の一例を示す図である。
【図９】本発明の第２実施形態に係るデジタル放送受信機の視聴制御部の動作として、チャンネルスキャン処理を示すフローチャートである。
【図１０】本発明の第２実施形態に係るデジタル放送受信機の視聴制御部の動作として、チャンネルスキャン処理の後に行われる、図５の視聴制御処理を示すフローチャートである。
【発明を実施するための形態】
【００１４】
以下、図面を参照しながら本発明の実施形態について説明する。本実施形態に係るデジタル放送受信機は、携帯電話機、スマートフォン、カーナビゲーションなどに適用される。
【００１５】
［第１実施形態］
図１は、本発明の第１実施形態に係るデジタル放送受信機が適用される放送システムの構成を示す概略ブロック図である。放送システムは、デジタル放送受信機１と、送信局２とを具備している。
【００１６】
送信局２では、上記放送システムに対応したデジタル放送受信機１だけが視聴できるように放送サービスのＴＳ（ＭＰＥＧ２  Ｔｒａｎｓｐｏｒｔ  Ｓｔｒｅａｍ）をスクランブル（暗号化）して放送信号を生成する。放送サービスとは送信局２が送出する、スケジュール化された放送番組の連続、およびこれを表す情報である。ここで、放送サービスをスクランブルする際にスクランブル鍵（以下、Ｋｓと称する）が使用される。送信局２では、このＫｓを含む情報（ＥＣＭ；Ｅｎｔｉｔｌｅｍｅｎｔ  Ｃｏｎｔｒｏｌ  Ｍｅｓｓａｇｅ）を生成し、放送信号に多重化する。ここで、ＥＣＭは、放送サービスの暗号化情報であり、ＥＣＭを暗号化する際にワーク鍵（以下、Ｋｗと称する）が使用される。
【００１７】
図２は、ＥＣＭの構成例を示す図である。ＥＣＭは、非暗号化領域４１と、暗号化領域（暗号化部）４２とで構成されている。非暗号化領域４１には、Ｋｗ識別情報が含まれる。暗号化領域４２はＫｗにより暗号化され、暗号化領域４２には、０番目からｎ−１番目までのｎ組のＫｓが記録されている。各ＫｓはＯｄｄとＥｖｅｎとで１組となる。ｎ組のＫｓのうちの１組のＫｓは、番組をスクランブルする際に使用される。
【００１８】
また、送信局２では、デジタル放送受信機１に対してＥＣＭを復号するために使用するＫｗとＫｗ識別情報とを含む受信機側の個別情報（ＥＭＭ；Ｅｎｔｉｔｌｅｍｅｎｔ  Ｍａｎａｇｅｍｅｎｔ  Ｍｅｓｓａｇｅ）を生成し、放送信号に多重化する。ＥＭＭは暗号化情報であり、ＥＭＭを暗号化する際にデバイス鍵が使用される。
【００１９】
図３は、ＥＭＭの構成例を示す図である。ＥＭＭは、非暗号化領域４３と、暗号化領域（暗号化部）４４とで構成されている。非暗号化領域４３には、デバイスＩＤが含まれる。暗号化領域４４はデバイス鍵により暗号化され、暗号化領域４４には、ワーク鍵設定記述子としてＫｗ識別情報とスクランブル鍵ポインタ（以下、Ｋｓポインタと称する）とＫｗとが記録されている。Ｋｗ識別情報、Ｋｓポインタ、ＫｗのそれぞれにはＯｄｄのもの、および、Ｅｖｅｎのものがある。デバイスＩＤおよびデバイス鍵は受信機のメーカーあるいは機種ごとに異なる。Ｋｓポインタは、ＥＣＭの暗号化領域４２に記録されたｎ組のＫｓのうちの、番組をスクランブルする際に使用されるＫｓであるｊ番目のＫｓを指定するための番号を表している。
【００２０】
送信局２は、上述の放送信号を放送波により送信し、デジタル放送受信機１は、その放送信号を受信する。
【００２１】
図４は、本発明の第１実施形態に係るデジタル放送受信機１の構成を示す概略ブロック図である。本発明の第１実施形態に係るデジタル放送受信機１は、受信部３１と、復号部３２と、放送サービス提示部３３とを具備している。
【００２２】
受信部３１は、アンテナと、チューナ部１２とを備えている。チューナ部１２は、送信局２から送信された放送信号をアンテナにより受信し、放送信号からＴＳを抽出する。
【００２３】
復号部３２は、放送信号に含まれる暗号化情報の復号を行なって復号結果を生成する。その復号部３２は、ＥＭＭ復号部１４と、ＥＣＭ復号部１５と、デバイスＩＤ記憶部１６と、デバイス鍵記憶部１７と、Ｋｗ情報記憶部２４とを備えている。
【００２４】
デバイスＩＤ記憶部１６には、デバイスＩＤが記録されている。デバイス鍵記憶部１７には、デバイス鍵が記録されている。
【００２５】
ＥＭＭ復号部１４は、ＥＭＭの非暗号化領域４３に記録されたデバイスＩＤとデバイスＩＤ記憶部１６に記録されたデバイスＩＤとが一致する場合、デバイス鍵記憶部１７に記録されたデバイス鍵によりＥＭＭの暗号化領域４４を復号して、ＥＭＭの暗号化領域４４からＫｗとＫｗ識別情報とＫｓポインタとを抽出し、Ｋｗ情報記憶部２４に記録する。
【００２６】
ＥＣＭ復号部１５は、ＥＣＭの非暗号化領域４１に含まれるＫｗ識別情報に対し、Ｋｗ情報記憶部２４に記録されているＫｗ識別情報（ＯｄｄもしくはＥｖｅｎ）のうち一致するものが存在し、かつ、そのＫｗ識別情報（ＯｄｄもしくはＥｖｅｎ）に対応するＫｓポインタが指定する値ｊが０からｎ−１の範囲内にある場合、上記一致するＫｗ識別情報（ＯｄｄもしくはＥｖｅｎ）に対応するＫｗ（ＯｄｄもしくはＥｖｅｎ）によりＥＣＭの暗号化領域４２を復号して、ＥＣＭの暗号化領域４２からｊ番目のＫｓを抽出する。ＥＣＭ復号部１５がＫｓを抽出した場合、復号結果は復号の成功を表し、ＥＣＭ復号部１５から出力される。
【００２７】
ＥＣＭの非暗号化領域４１に含まれるＫｗ識別情報に対し、Ｋｗ情報記憶部２４に記録されているＫｗ識別情報（ＯｄｄもしくはＥｖｅｎ）のうち一致するものが存在しない場合、暗号化情報を復号できない。また、一致するものがあっても、そのＫｗ識別情報に対応するＫｓポインタが指定する値ｊが０からｎ−１の範囲内にない場合、暗号化情報を復号できない。このような場合、復号結果は復号の失敗を表し、ＥＣＭ復号部１５から出力される。
【００２８】
放送サービス提示部３３は、放送信号に含まれる番組のＴＳを出力する。その放送サービス提示部３３は、デマルチプレクサ部１３と、デスクランブラ１８と、映像・音声復号部１９と、映像出力部２０と、音声出力部２１と、を備えている。映像出力部２０としては、ＬＣＤ（Ｌｉｑｕｉｄ  Ｃｒｙｓｔａｌ  Ｄｉｓｐｌａｙ）などのディスプレイが例示される。
【００２９】
デマルチプレクサ部１３は、ＴＳパケットのヘッダ部情報より、ＴＳにスクランブルがかかっているか否かの判定を行い、ＴＳに対してスクランブルがかかっている場合、そのＴＳをデスクランブラ１８に出力し、ＴＳに対してスクランブルがかかっていない場合、そのＴＳを映像・音声復号部１９に出力する。デスクランブラ１８は、ＥＣＭ復号部１５が抽出したＫｓによりＴＳに対するデスクランブルを行ない、映像・音声復号部１９は、ＴＳを映像信号、音声信号に分離し、それぞれ映像出力部２０、音声出力部２１に出力する。
【００３０】
本発明の第１実施形態に係るデジタル放送受信機１は、さらに、視聴制御部１０と、操作入力部１１とを具備している。視聴制御部１０は受信部３１、復号部３２、放送サービス提示部３３に対して制御を行う。視聴制御部１０は、例えばＣＰＵ（Ｃｅｎｔｒａｌ  Ｐｒｏｃｅｓｓｉｎｇ  Ｕｎｉｔ）等から構成されている。
【００３１】
操作入力部１１は、地上波デジタル放送を表す複数の放送サービスのうちの１つの放送サービスをユーザが選択するときに使用される。以下、ユーザが選択した放送サービスを、ユーザ選択サービスと称する。受信部３１は、放送信号を受信し、復号部３２は、その放送信号に含まれる暗号化情報の復号を行なって復号結果を生成する。
【００３２】
地上デジタル放送では、１つのチャンネルが１３セグメントに分割され、１つのチャンネルにおいて、上記１３セグメントのうちの１または複数のセグメントを利用して複数の放送サービスが送出される。放送サービスのうちの１つとして、部分受信階層の１セグメントを利用した、主として移動体端末向けの１セグメント部分受信サービスが送出される。この１セグメント部分受信サービスにおいては、同チャンネル内の別のサービスと同様の内容の番組を送出する、いわゆるサイマル放送がなされる場合がある。また、１セグメント部分受信サービス以外のサービスが、残りの１２セグメントを利用して送出される。例えば、４セグメントを使った通常画質の放送サービスや、１２セグメントを使ったハイビジョンの放送サービスが挙げられる。
【００３３】
１セグメント部分受信サービスでは、ＴＳに対してスクランブルがかかっていない。その他のサービスについては、サービスのＴＳに対してスクランブルがかかっている場合がある。
【００３４】
ユーザ選択サービスが、１セグメント部分受信サービス以外のサービスである場合において、復号結果が復号の成功を表している場合、すなわち、復号部３２により暗号化情報を復号できた場合、視聴制御部１０は、ユーザ選択サービスを提示するように放送サービス提示部３３を制御する。一方、復号結果が復号の失敗を表している場合、すなわち、復号部３２により暗号化情報を復号できない場合、視聴制御部１０は、１セグメント部分受信サービスを提示するように放送サービス提示部３３を制御する。
【００３５】
ユーザ選択サービスが、１セグメント部分受信サービス以外のサービスである場合において、復号部３２は、１セグメント部分受信サービスが提示されているときでも、放送信号に含まれる暗号化情報の復号を行なって復号結果を生成する。そこで、復号結果が復号の成功を表している場合、視聴制御部１０は、１セグメント部分受信サービスに代えてユーザ選択サービスを提示するように放送サービス提示部３３を制御する。
【００３６】
なお、この場合、視聴制御部１０は、操作入力部１１により選択された放送サービスが１セグメント部分受信サービス以外の放送サービスである場合、所定の時間間隔で、所定の時間、操作入力部１１により選択された放送サービスの暗号化情報を受信するように受信部３１を制御し、復号部３２は、受信部３１により受信された暗号化情報に基づいて復号結果を生成してもよい。所定の時間間隔については、デジタル放送受信機１が１３セグメント分の帯域を受信する際に必要とする消費電力に基づいて値を定め、その値を用いるよう視聴制御部１０を実装すればよい。あるいは操作入力部１１で所定の時間間隔の値を入力可能とし、操作入力部１１で入力を検知したら操作入力部１１から視聴制御部１０へ所定の時間間隔を表す信号を出力し、視聴制御部１０で信号の入力を検知して以降、その信号が表す値を所定の時間間隔として用いるよう、操作入力部１１、および視聴制御部１０を実装してもよい。また所定の時間については、ＥＭＭの再送周期に基づいて値を定め、その値を用いるよう視聴制御部１０を実装すればよい。例えば、ＡＲＩＢ  ＴＲ−Ｂ１４  ４．９版（第三分冊）第５編  第二部  ４．９．７．４では「ＥＭＭの再送周期は、１５秒以下となるよう運用すること。」と規定されているので、１５秒より大きい値とすればよい。これにより、チューナ部１２で受信する受信帯域を所定時間狭めることができるので、消費電力をより小さくすることができる。
【００３７】
図５は、本発明の第１実施形態に係るデジタル放送受信機１の動作（放送サービス提示方法）を示すフローチャートである。図６は、視聴制御部１０の動作として、図５の視聴制御処理（Ｓ３）を示すフローチャートである。
【００３８】
（ステップＳ１；受信処理）
操作入力部１１は、ユーザの操作により、ユーザが選択した放送サービスであるユーザ選択サービスを表すサービス選択信号を視聴制御部１０に出力する。視聴制御部１０は、操作入力部１１からのサービス選択信号を受け取り、そのサービス選択信号が表す放送信号（変調方式、符号化方式、受信周波数帯域等を含むデジタル放送信号）を受信するための受信指示信号を受信部３１のチューナ部１２に出力する。また、視聴制御部１０は、放送信号に含まれる番組のＴＳから、どのパケット識別子（ＰＩＤ）のストリーム、データ放送情報、セクションを分離するかを指定するためのＰＩＤ指定信号を放送サービス提示部３３のデマルチプレクサ部１３に出力する。
【００３９】
受信部３１において、チューナ部１２は、受信指示信号に応じて、アンテナより放送信号を受信し、その放送信号からＴＳ（ＭＰＥＧ２  Ｔｒａｎｓｐｏｒｔ  Ｓｔｒｅａｍ）を抽出してデマルチプレクサ部１３に出力する。デマルチプレクサ部１３は、チューナ部１２からＴＳを受け、そのＴＳにおけるＴＳパケットから、上記ＰＩＤ指定信号が指定するＰＩＤが設定されたＴＳパケットを分離し、ＮＩＴ（Ｎｅｔｗｏｒｋ  Ｉｎｆｏｍａｔｉｏｎ  Ｔａｂｌｅ）、ＰＡＴ（Ｐｒｏｇｒａｍ  Ａｓｓｏｃｉａｔｉｏｎ  Ｔａｂｌｅ）、ＣＡＴ（Ｃｏｎｄｉｔｉｏｎａｌ  Ａｃｃｅｓｓ  Ｔａｂｌｅ）のセクション情報を抽出し、視聴制御部１０に出力する。ここで、ＮＩＴ、ＰＡＴ、ＣＡＴについては、ＰＩＤは固定値とする運用がなされているため、視聴制御部からのＰＩＤ指定信号によらず、デマルチプレクサ部１３で判別することが可能である。
【００４０】
視聴制御部１０は、デマルチプレクサ部１３からのＮＩＴ、ＰＡＴ、および、操作入力部１１からのサービス選択信号により、ユーザ選択サービスに相当するＰＭＴ（Ｐｒｏｇｒａｍ  Ｍａｐ  Ｔａｂｌｅ）のＰＩＤを特定し、そのＰＩＤを指定するためのＰＩＤ指定信号をデマルチプレクサ部１３に出力する。ここで、１セグメント部分受信サービスのＰＭＴのＰＩＤは固定値とする運用がなされているため、ＰＩＤの特定にはＰＡＴは不要である。
【００４１】
デマルチプレクサ部１３は、ＴＳパケットから、上記ＰＩＤ指定信号が指定するＰＩＤが設定されたＴＳパケットを分離し、ＰＭＴを抽出して視聴制御部１０に出力する。視聴制御部１０は、デマルチプレクサ部１３からのＰＭＴにより、ストリーム情報（映像ストリーム、音声ストリーム、字幕・文字スーパーストリーム等）、データ放送情報、ＥＣＭセクションのＰＩＤを特定し、そのＰＩＤを指定するためのＰＩＤ指定信号をデマルチプレクサ部１３に出力する。また、視聴制御部１０は、デマルチプレクサ部１３からのＣＡＴにより、ＥＭＭセクションのＰＩＤを特定し、そのＰＩＤを指定するためのＰＩＤ指定信号をデマルチプレクサ部１３に出力する。
【００４２】
デマルチプレクサ部１３は、ＴＳパケットから、上記ＰＩＤ指定信号が指定するＰＩＤが設定されたＴＳパケットを分離し、ＥＭＭ、ＥＣＭを抽出して、ＥＭＭを復号部３２のＥＭＭ復号部１４に出力し、ＥＣＭを復号部３２のＥＣＭ復号部１５に出力する。また、デマルチプレクサ部１３は、ＴＳからストリーム情報およびデータ放送情報を分離し、それぞれのＴＳパケットのヘッダ部情報より、スクランブルがかかっているかどうかの判定を行う。デマルチプレクサ部１３は、スクランブルがかかっているストリーム情報およびデータ放送情報を放送サービス提示部３３のデスクランブラ１８に出力し、スクランブルがかかっていないストリーム情報およびデータ放送情報を放送サービス提示部３３の映像・音声復号部１９に出力する。デマルチプレクサ部１３は、その他のセクション情報は視聴制御部１０に出力する。
【００４３】
（ステップＳ２；復号処理）
復号部３２において、ＥＭＭ復号部１４は、デマルチプレクサ部１３からのＥＭＭの非暗号化領域４３に記録されたデバイスＩＤと、デバイスＩＤ記憶部１６に記録されているデバイスＩＤとを照合する。照合の結果、一致する場合、ＥＭＭ復号部１４は、デバイス鍵記憶部１７に記録されているデバイス鍵により、ＥＭＭの暗号化領域４４を復号して、ＥＭＭの暗号化領域４４から、ＥＣＭを復号するためのＫｗとＫｗ識別情報とＫｓポインタとのそれぞれについてＯｄｄとＥｖｅｎの両方を抽出し、Ｋｗ情報記憶部２４に記録する。
【００４４】
ＥＣＭ復号部１５は、Ｋｗ情報記憶部２４に記録されているＫｗ識別情報（ＯｄｄとＥｖｅｎ）と、ＥＣＭの非暗号化領域４１に記録されているＫｗ識別情報とを照合する。照合の結果、一致するものがある場合、ＥＣＭ復号部１５は、ＥＭＭ復号部１４が抽出したＫｗによりＥＣＭの暗号化領域４２を復号して、ＥＭＭ復号部１４が抽出したＫｓポインタが示す番号のＫｓをＥＣＭの暗号化領域４２から抽出する。ＥＣＭ復号部１５は、抽出したＫｓをデスクランブラ１８に出力し、復号の成功を表す復号結果を視聴制御部１０に出力する。
【００４５】
Ｋｗ情報記憶部２４に記録されているＫｗ識別情報（ＯｄｄもしくはＥｖｅｎ）とＥＣＭの非暗号化領域４１に記録されているＫｗ識別情報とが一致しない場合や、Ｋｓポインタが示す番号が０からｎ−１の範囲内にない場合は、ＥＣＭ復号部１５は、暗号化情報（ＥＭＭ、ＥＣＭ）を復号できないため、復号の失敗を表す復号結果を視聴制御部１０に出力する。
【００４６】
（ステップＳ３；視聴制御処理）
ユーザ選択サービスが１セグメント部分受信サービスでない場合（ステップＳ１１−Ｎｏ）、視聴制御部１０は、ＥＣＭ復号部１５からの復号結果を受け取る（ステップＳ１２）。ここで、復号結果が復号の成功を表し、現在、ユーザ選択サービスを提示していない場合（ステップＳ１３−Ｙｅｓ、Ｓ１６−Ｎｏ）、視聴制御部１０は、ユーザ選択サービスを提示するように、放送サービス提示部３３を制御する（ステップＳ１７）。
【００４７】
ステップＳ１７において、視聴制御部１０は、ユーザ選択サービスに対応するＰＭＴのセクション情報から、ユーザ選択サービスを表すストリーム情報およびデータ放送情報のＰＩＤを抽出してデマルチプレクサ部１３に出力する。デマルチプレクサ部１３は上記ＰＩＤに応じて、ストリーム情報およびデータ放送情報を抽出し、暗号化されている場合はデスクランブラ１８に出力し、暗号化されていない場合は映像・音声復号部１９に出力する。デスクランブラ１８は、デマルチプレクサ部１３からのストリーム情報およびデータ放送情報に対してＥＣＭ復号部１５からのＫｓによりデスクランブルを行ない、そのストリーム情報およびデータ放送情報を映像・音声復号部１９に出力すると共に、ユーザ選択サービス出力指示を映像・音声復号部１９に出力する。映像・音声復号部１９は、ユーザ選択サービス出力指示に応じて、入力されたストリーム情報およびデータ放送情報から映像信号、音声信号を生成し、映像信号を映像出力部２０に出力し、音声信号を音声出力部２１に出力する。映像出力部２０は、映像信号が示す映像を表示し、音声出力部２１は、音声信号が示す音声を出力する。
【００４８】
その後、サービスの提示が継続されている場合でも、視聴制御部１０は、ＥＣＭ復号部１５からの復号結果を受け取る（ステップＳ１１−Ｎｏ、Ｓ１２）。ここで、復号結果が復号の失敗を表し、現在、１セグメント部分受信サービスを提示していない場合（ステップＳ１３−Ｎｏ、Ｓ１４−Ｎｏ）、視聴制御部１０は、１セグメント部分受信サービスを提示するように放送サービス提示部３３を制御する（ステップＳ１５）。すなわち、視聴制御部１０は、ＥＣＭ復号部１５がＥＣＭを復号できない場合、ユーザ選択サービスから１セグメント部分受信サービスへの提示に切り替える。
【００４９】
ステップＳ１５において、視聴制御部１０は、１セグメント部分受信サービスのＰＭＴセクション情報から、１セグメント部分受信サービスを構成するストリーム情報およびデータ放送情報のＰＩＤを抽出してデマルチプレクサ１３に出力する。デマルチプレクサ１３は、入力されたＰＩＤに応じて、１セグメント部分受信サービスを構成するストリーム情報、およびデータ放送情報を映像・音声復号部１９に出力する。映像・音声復号部１９は、デマルチプレクサ部１３からのストリーム情報、データ放送情報に基づいて映像信号を映像出力部２０に出力し、音声信号を音声出力部２１に出力する。映像出力部２０は、映像信号が示す映像を表示し、音声出力部２１は、音声信号が示す音声を出力する。
【００５０】
その後もサービスの提示が継続されていて、ＥＣＭ復号部１５からの復号結果が復号の成功を表している場合（ステップＳ１１−Ｎｏ、Ｓ１２、Ｓ１３−Ｙｅｓ）、現在、１セグメント部分受信サービスを提示しているため（ステップＳ１６−Ｎｏ）、視聴制御部１０は、ユーザ選択サービスを提示するように、放送サービス提示部３３を制御する（ステップＳ１７）。すなわち、視聴制御部１０は、ユーザ選択サービスが１セグメント部分受信サービスではなく、かつ、ＥＣＭ復号部１５がＥＣＭを復号できる場合、１セグメント部分受信サービスからユーザ選択サービスへの提示に切り替える。
【００５１】
なお、ユーザ選択サービスが１セグメント部分受信サービスである場合（ステップＳ１１−Ｙｅｓ）、視聴制御部１０は、１セグメント部分受信サービスを提示するように、放送サービス提示部３３を制御する（ステップＳ１８）。すなわち、視聴制御部１０は、ステップＳ１５と同じ処理を行なう。
【００５２】
以上の説明により、第１実施形態に係るデジタル放送受信機１では、１セグメント部分受信サービスの放送情報と、１セグメント部分受信サービス以外の放送サービスの放送情報と、前記１セグメント部分受信サービス以外の放送サービスの暗号化情報とを含む放送信号を受信する受信部３１と、放送信号に含まれる放送情報に基づいて放送サービスを提示する放送サービス提示部３３と、放送信号に含まれる１セグメント部分受信サービス以外の放送サービスの暗号化情報の復号を行なう復号部３２と、ユーザにより選択された放送サービス（ユーザ選択サービス）が１セグメント部分受信サービス以外の放送サービスであり、復号部３２により１セグメント部分受信サービス以外の放送サービスの暗号化情報を復号できない場合、１セグメント部分受信サービスを提示するように放送サービス提示部３３を制御する視聴制御部１０と、を具備している。このように、第１実施形態に係るデジタル放送受信機１では、放送信号に含まれる暗号化情報を復号できない場合、１セグメント部分受信サービスへの提示に自動的に切り替える。この場合、ユーザは、代替のサービスを視聴することができる。また、１セグメント部分受信サービスにおいて、それ以外のサービスとのサイマル放送を行っている場合は、視聴したい番組と同一の番組を１セグメント部分受信サービスにより視聴することができる。したがって、第１実施形態に係るデジタル放送受信機１によれば、放送信号に含まれる暗号化情報を復号できない状況でも、その放送信号に含まれる番組をユーザが視聴することができる。
【００５３】
また、第１実施形態に係るデジタル放送受信機１では、復号部３２は、ユーザ選択サービスが１セグメント部分受信サービス以外の放送サービスであり、かつ１セグメント部分受信サービスが提示されているときに、放送信号に含まれる１セグメント部分受信サービス以外の放送サービスの暗号化情報の復号を行ない、視聴制御部１０は、復号部３２により１セグメント部分受信サービス以外の放送サービスの暗号化情報を復号できた場合、ユーザ選択サービスを提示するように放送サービス提示部３３を制御する。このように、第１実施形態に係るデジタル放送受信機１では、ユーザ選択サービスから１セグメント部分受信サービスへの提示に切り替えた後に、放送信号に含まれる暗号化情報を復号できた場合、１セグメント部分受信サービスからユーザ選択サービスへの提示に切り替える。１セグメント放送の番組の画質・音質は、複数セグメント放送の番組の画質・音質に比べて劣るため、暗号化情報を復号できた場合は１セグメント放送から複数セグメント放送への切り替えが行われることが望ましい。したがって、第１実施形態に係るデジタル放送受信機１によれば、放送信号に含まれる暗号化情報を復号できない状況でも、その放送信号に含まれる番組をユーザが視聴することができる上に、復号の状況に応じた放送切り替えを行なうことができる。
【００５４】
［第２実施形態］
図７は、本発明の第２実施形態に係るデジタル放送受信機１の構成を示す概略ブロック図である。第２実施形態では第１実施形態からの変更点のみ説明する。
【００５５】
本発明の第２実施形態に係るデジタル放送受信機１は、さらに、リスト記憶部２２を具備している。リスト記憶部２２には、アクセス制御方式対応チャネルリスト２３が記録される。
【００５６】
図８は、図７のアクセス制御方式対応チャネルリスト２３に記録される情報の一例を示す図である。視聴制御部１０は、チャンネルスキャンを行なって、複数の放送サービスの各々が割り当てられた物理チャネルを表す番号（物理チャネル番号）と、その放送サービスがデジタル放送受信機１のアクセス制御方式に対応していて、かつＥＭＭが受信できて正常に復号できているか否かを表す受信機側アクセス制御方式対応情報とを対応付けるアクセス制御方式対応チャネルリスト２３を生成する。視聴制御部１０は、そのアクセス制御方式対応チャネルリスト２３をリスト記憶部２２に記録しておく。
【００５７】
ユーザが操作入力部１１によりユーザ選択サービスを選択した場合、視聴制御部１０は、アクセス制御方式対応チャネルリスト２３を参照して、ユーザ選択サービスが送出される物理チャネルがデジタル放送受信機１のアクセス制御方式に対応しているか否かを判断する。
【００５８】
視聴制御部１０がアクセス制御方式対応チャネルリスト２３を参照した結果、ユーザ選択サービスが送出される物理チャネルがデジタル放送受信機１のアクセス制御方式に対応していて、さらに、復号結果が復号の成功を表している場合、視聴制御部１０は、ユーザ選択サービスを提示するように放送サービス提示部３３を制御する。
【００５９】
視聴制御部１０がアクセス制御方式対応チャネルリスト２３を参照した結果、ユーザ選択サービスが送出される物理チャネルがデジタル放送受信機１のアクセス制御方式に対応していない場合、視聴制御部１０は、１セグメント部分受信サービスを提示するように放送サービス提示部３３を制御する。
【００６０】
視聴制御部１０がアクセス制御方式対応チャネルリスト２３を参照した結果、ユーザ選択サービスが送出される物理チャネルがデジタル放送受信機１のアクセス制御方式に対応しているが、復号結果が復号の失敗を表している場合、視聴制御部１０は、１セグメント部分受信サービスを提示するように放送サービス提示部３３を制御する。
【００６１】
図９は、本発明の第２実施形態に係るデジタル放送受信機１の視聴制御部１０の動作として、チャンネルスキャン処理を示すフローチャートである。視聴制御部１０は、チャンネルスキャン処理を行なって、アクセス制御方式対応チャネルリスト２３を生成しておく。
【００６２】
まず、視聴制御部１０は、物理チャネル番号を初期値にする（ステップＳ２１）。この場合、物理チャネル番号が終了値ではないため（ステップＳ２２−Ｎｏ）、視聴制御部１０は、その物理チャネル番号に割り当てられた放送サービスにより送信された放送信号を受信するための受信指示信号を受信部３１のチューナ部１２に出力する。また、視聴制御部１０は、ＣＡＴを特定し、そのＰＩＤを指定するためのＰＩＤ指定信号を放送サービス提示部３３のデマルチプレクサ部１３に出力する。
【００６３】
受信部３１において、チューナ部１２は、受信指示信号に応じて、アンテナより放送信号の受信を開始し、その放送信号からＴＳを抽出してデマルチプレクサ部１３に出力する。デマルチプレクサ部１３は、チューナ部１２からＴＳを受け、そのＴＳにおけるＴＳパケットから、上記ＰＩＤ指定信号が指定するＰＩＤが設定されたＴＳパケットを分離し、ＣＡＴのセクション情報を抽出して、視聴制御部１０に出力する（ステップＳ２３）。
【００６４】
視聴制御部１０は、デマルチプレクサ部１３からのＣＡＴのセクション情報を待つ（ステップＳ２４）。ここで、視聴制御部１０が受信指示信号を出力してから一定時間内に視聴制御部１０へのＣＡＴのセクション情報の入力を検知しなかった場合（ステップＳ２４−Ｎｏ）、視聴制御部１０は、ＣＡＴを受信できなかったものとみなす。この場合、視聴制御部１０は、現在の物理チャネル番号に割り当てられた放送サービスがデジタル放送受信機１のアクセス制御方式に対応していないことを表す“ｆａｌｓｅ”を受信機側アクセス制御方式対応情報とし、現在の物理チャネル番号に対応付けて受信機側アクセス制御方式対応情報“ｆａｌｓｅ”をアクセス制御方式対応チャネルリスト２３に記録する（ステップＳ２８）。
【００６５】
視聴制御部１０は、受信指示信号を出力してから一定時間内にＣＡＴのセクション情報の入力を検知した場合（ステップＳ２４−Ｙｅｓ）、ＣＡＴを受信できたものとみなし、そのＣＡＴに含まれる１つまたは複数の限定受信方式記述子の各々のＣＡ＿ｓｙｓｔｅｍ＿ＩＤフィールドに受信機側が対応するアクセス制御方式（例えばＲＭＰ方式）の識別値が記述されているかを判定する（ステップＳ２５）。ここで、記述されているものがない場合（ステップＳ２５−Ｎｏ）、視聴制御部１０は、現在の物理チャネル番号に対応付けて受信機側アクセス制御方式対応情報“ｆａｌｓｅ”をアクセス制御方式対応チャネルリスト２３に記録する（ステップＳ２８）。
【００６６】
視聴制御部１０は、ＣＡＴに含まれる１つまたは複数の限定受信方式記述子の各々のＣＡ＿ｓｙｓｔｅｍ＿ＩＤフィールドに受信機側が対応するアクセス制御方式の識別値が記述されている場合（ステップＳ２５−Ｙｅｓ）、その限定受信方式記述子により、ＥＭＭセクションのＰＩＤを特定し、そのＰＩＤを指定するためのＰＩＤ指定信号をデマルチプレクサ部１３に出力する。その後、視聴制御部１０は、ＥＭＭ復号部１４からのＥＭＭ受信通知信号を待つ（ステップＳ２６）。ここで、視聴制御部１０は、ＣＡＴを受信してから所定時間内にＥＭＭ受信通知信号の入力を検知しなかった場合（ステップＳ２６−Ｎｏ）、ＥＭＭ受信通知信号を受信できなかったものとみなし、現在の物理チャネル番号に対応付けて受信機側アクセス制御方式対応情報“ｆａｌｓｅ”をアクセス制御方式対応チャネルリスト２３に記録する（ステップＳ２８）。
【００６７】
デマルチプレクサ部１３は、ＴＳパケットから、上記ＰＩＤ指定信号が指定するＰＩＤが設定されたＴＳパケットを分離し、ＥＭＭを抽出して、ＥＭＭを復号部３２のＥＭＭ復号部１４に出力する。ＥＭＭ復号部１４は、デマルチプレクサ部１３からのＥＭＭの非暗号化領域４３に記録されたデバイスＩＤと、デバイスＩＤ記憶部１６に記録されているデバイスＩＤとを照合する。照合の結果、一致する場合、ＥＭＭ復号部１４は、ＥＭＭ受信通知信号を視聴制御部１０に出力する。視聴制御部１０は、ＣＡＴを受信してから所定時間内にＥＭＭ受信通知信号の入力を検知した場合（ステップＳ２６−Ｙｅｓ）、ＥＭＭ受信通知信号を受信できたものとみなす。この場合、視聴制御部１０は、現在の物理チャネル番号がデジタル放送受信機１のアクセス制御方式に対応していることを表す“ｔｒｕｅ”を受信機側アクセス制御方式対応情報とし、現在の物理チャネル番号に対応付けて受信機側アクセス制御方式対応情報“ｔｒｕｅ”をアクセス制御方式対応チャネルリスト２３に記録する（ステップＳ２７）。
【００６８】
ステップＳ２７またはステップＳ２８の後、視聴制御部１０は、現在の物理チャネル番号に１を加算する（ステップＳ２９）。このとき、物理チャネル番号が終了値ではない場合（ステップＳ２２−Ｎｏ）、視聴制御部１０は、ステップＳ２３以降の処理を行なう。物理チャネル番号が終了値である場合（ステップＳ２２−Ｙｅｓ）、チャンネルスキャン処理が終了する。
【００６９】
図１０は、視聴制御部１０の動作として、チャンネルスキャン処理の後に行われる、図５の視聴制御処理（Ｓ３）を示すフローチャートである。
【００７０】
ユーザがサービス選択信号により１セグメント部分受信サービス以外のサービスを選択している場合（ステップＳ１１−Ｎｏ）、視聴制御部１０は、アクセス制御方式対応チャネルリスト２３を参照して、ユーザ選択サービスの送出される物理チャネルがデジタル放送受信機１のアクセス制御方式に対応しているか否かを判断する（ステップＳ３１）。
【００７１】
ここで、ユーザ選択サービスの送出される物理チャネルがデジタル放送受信機１のアクセス制御方式に対応している場合（ステップＳ３１−Ｙｅｓ）、視聴制御部１０は、ＥＣＭ復号部１５からの復号結果を受け取り（ステップＳ１２）、ステップＳ１３以降の処理を行なう。すなわち、復号結果が復号の成功を表している場合（ステップＳ１３−Ｙｅｓ）、視聴制御部１０は、ユーザ選択サービスを提示するように放送サービス提示部３３を制御する（ステップＳ１６、Ｓ１７）。復号結果が復号の失敗を表している場合（ステップＳ１３−Ｎｏ）、視聴制御部１０は、１セグメント部分受信サービスを提示するように放送サービス提示部３３を制御する（ステップＳ１４、Ｓ１５）。
【００７２】
一方、ユーザ選択サービスの送出される物理チャネルがデジタル放送受信機１のアクセス制御方式に対応していない場合（ステップＳ３１−Ｎｏ）、視聴制御部１０は、１セグメント部分受信サービスを提示するように放送サービス提示部３３を制御する（ステップＳ１８）。
【００７３】
以上の説明により、第２実施形態に係るデジタル放送受信機１では、視聴制御部１０は、チャンネルスキャンを行なって、放送サービスが送出される物理チャネルがデジタル放送受信機１のアクセス制御方式に対応しているか否かを表すアクセス制御方式対応チャネルリスト２３を生成し、ユーザにより放送サービスが選択されたときにアクセス制御方式対応チャネルリスト２３を参照する。ユーザにより選択された放送サービス（ユーザ選択サービス）が送出される物理チャネルがデジタル放送受信機１のアクセス制御方式に対応していて、かつユーザ選択サービスが１セグメント部分受信サービス以外のサービスである場合、視聴制御部１０は、復号部３２による復号の結果に基づいて１セグメント部分受信サービスもしくはユーザ選択サービス（この場合は１セグメント部分受信サービス以外の放送サービス）を提示するように放送サービス提示部３３を制御する。具体的には、ユーザ選択サービスが送出される物理チャネルがデジタル放送受信機１のアクセス制御方式に対応していて、かつ、復号部３２により暗号化情報を復号できた場合、視聴制御部１０は、ユーザ選択サービスを提示するように放送サービス提示部３３を制御する。ユーザ選択サービスがデジタル放送受信機１のアクセス制御方式に対応しているが、復号部３２により暗号化情報を復号できない場合、視聴制御部１０は、１セグメント部分受信サービスを提示するように放送サービス提示部３３を制御する。ユーザ選択サービスが送出される物理チャネルがデジタル放送受信機１のアクセス制御方式に対応していない場合、視聴制御部１０は、１セグメント部分受信サービスを提示するように放送サービス提示部３３を制御する。このように、第２実施形態に係るデジタル放送受信機１によれば、チャンネルスキャン時に物理チャネルにおける複数の放送サービスの視聴可否が明らかになるため、ユーザ選択サービスが選択された時点で、復号の状況に応じた放送切り替えを行なうことができる。
【００７４】
なお、本発明のデジタル放送受信機１は、上述の移動体端末に適用されるが、これに限定されない。近年では、１セグメント部分受信サービスとそれ以外のサービスとを電波の受信状況に応じて自動的に切り替える移動体端末が開発されている。本発明では、この移動体端末（電波の受信状況に応じた放送切り替え）をデジタル放送受信機１に適用してもよい。この場合、本発明のデジタル放送受信機１は、復号の状況、または、電波の受信状況に応じた放送切り替えを行なうことができる。ここで、電波の受信状況に応じた放送切り替えを、特許文献１に記載された技術に適用しても、復号の状況に応じた放送切り替えを行なうことができない。
【００７５】
以上、この発明の実施形態について図面を参照して詳述してきたが、具体的な構成は実施形態に限られるものではなく、この発明の要旨を逸脱しない範囲の設計等も特許請求の範囲に含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記実施形態に記載された要素であり、同様の効果を奏する要素同士を置換した構成も含まれる。
【００７６】
本実施形態に係るデジタル放送受信機１で動作するコンピュータプログラム（以下、プログラムと称する）は、本発明に関わる上記実施形態の機能を実現するように、ＣＰＵ等を制御するプログラム（コンピュータを機能させるプログラム）である。そして、これら装置で取り扱われる情報は、その処理的に一時的にＲＡＭに蓄積され、その後、各種ＲＯＭやＨＤＤに格納され、必要に応じてＣＰＵによって読み出し、修正・書き込みが行われる。プログラムを格納する記録媒体としては、半導体媒体（例えば、ＲＯＭ、不揮発性メモリカード等）、光記憶媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上記した実施形態の機能が実現されるだけでなく、そのプログラムの指示に基づき、オペレーティングシステムあるいは他のアプリケーションプログラム等と共同して処理することにより、本発明の機能が実現される場合もある。
【００７７】
また市場に流通させる場合には、可搬型の記録媒体にプログラムを格納して流通させたり、インターネット等のネットワークを介して接続されたサーバコンピュータに転送したりすることができる。この場合、サーバコンピュータの記録装置も本発明に含まれる。また、上述した実施形態における送信局装置および受信局装置の一部、または全部を典型機能ブロックは個別にプロセッサ化してもよいし、一部、または全部を集積してプロセッサ化してもよい。また、集積回路化の手法はＬＳＩに限らず専用回路、または汎用プロセッサで実現しても良い。また、半導体技術の進歩によりＬＳＩに代替する集積回路化の技術が実現した場合、該当技術による集積回路を用いることも可能である。
【符号の説明】
【００７８】
１  デジタル放送受信機
１０  視聴制御部
１１  操作入力部
１２  チューナ部
１３  デマルチプレクサ部
１４  ＥＭＭ復号部
１５  ＥＣＭ復号部
１６  デバイスＩＤ記憶部
１７  デバイス鍵記憶部
１８  デスクランブラ
１９  映像・音声復号部
２０  映像出力部
２１  音声出力部
２２  リスト記憶部
２３  アクセス制御方式対応チャネルリスト
２４  Ｋｗ情報記憶部
３１  受信部
３２  復号部
３３  放送サービス提示部
４１  非暗号化領域
４２  暗号化領域
４３  非暗号化領域
４４  暗号化領域
【図１】
2014045422.tif 000003
【図２】
2014045422.tif 000004
【図３】
2014045422.tif 000005
【図４】
2014045422.tif 000006
【図５】
2014045422.tif 000007
【図６】
2014045422.tif 000008
【図７】
2014045422.tif 000009
【図８】
2014045422.tif 000010
【図９】
2014045422.tif 000011
【図１０】
2014045422.tif 000012